(57)【特許請求の範囲】
【請求項１】
バイパスダイオードを有し、太陽光を受けて発電する太陽電池ストリングと、
前記太陽電池ストリングに診断電圧を印加することによって、発電時と同じ方向の電流を流す診断用電力供給手段と、
前記太陽電池ストリングに前記診断電圧を印加するか否かを切り替えるスイッチ手段と、
前記太陽電池ストリングに流れる電流を測定する電流測定手段と、
前記診断電圧が印加された場合に前記電流測定手段によって測定される電流の大きさと予め定められた診断閾値とを比較し、比較の結果に基づいて前記バイパスダイオードに不具合があるか否かを判断する不具合判断手段と、
前記太陽電池ストリングの発電による直流電力を交流商用周波数に変換して電力系統に供給する電源コントロールユニットと、
前記太陽電池ストリングと前記電源コントロールユニットとに接続される発電電力供給配線と、
前記発電電力供給配線のうち前記太陽電池ストリングの負極側に接続される負極側配線の途中に設けられ、前記太陽電池ストリング側にカソードが接続される逆流防止ダイオードとを備え、
前記診断用電力供給手段は、前記太陽電池ストリングと前記逆流防止ダイオードとの間の前記負極側配線を介して前記診断電圧を前記太陽電池ストリングに印加する
ことを特徴とする太陽光発電システム。
【請求項２】
前記発電電力供給配線の電気的な接続状態を切り替える開閉器と、前記逆流防止ダイオードとが設けられる接続箱を備える
ことを特徴とする請求項１に記載の太陽光発電システム。
【請求項３】
前記診断電圧を印加する時期が到来したか否かを判断する開始時期検知手段を備え、
前記スイッチ手段は、前記時期が到来したと判断されると、前記太陽電池ストリングに前記診断電圧を印加する
ことを特徴とする請求項１又は２に記載の太陽光発電システム。
【請求項４】
前記開始時期検知手段は、前記太陽電池ストリングの発電電力に関する情報を取得し、当該取得した情報に基づいて前記時期が到来したか否かを判断する
ことを特徴とする請求項３に記載の太陽光発電システム。
【請求項５】
現在時刻を計測する計時手段を備え、
前記開始時期検知手段は、前記現在時刻が予め定められた時刻となった場合に、前記時期が到来したと判断する
ことを特徴とする請求項３に記載の太陽光発電システム。
【請求項６】
日射量を計測する日射計測手段を備え、
前記開始時期検知手段は、前記日射計測手段によって計測された前記日射量と開始閾値とを比較し、比較の結果、前記日射量が前記開始閾値以下である場合に、前記時期が到来したと判断する
ことを特徴とする請求項３に記載の太陽光発電システム。
【請求項７】
前記太陽電池ストリングによって発電される電力を取得して、前記診断用電力供給手段に供給する充電手段と、
前記診断用電力供給手段は、前記充電手段から供給される電力によって充電される蓄電池である
ことを特徴とする請求項１から６のいずれか１項に記載の太陽光発電システム。
【請求項８】
前記不具合判断手段による判断結果を表示手段に表示させる表示制御手段を備える
ことを特徴とする請求項１から７のいずれか１項に記載の太陽光発電システム。
【請求項９】
請求項１から８のいずれか１項に係る太陽光発電システムと、
前記太陽光発電システムと通信回線を介して接続された管理装置とを備え、
前記太陽光発電システムは、
前記不具合判断手段による判断結果を示す判断情報を送信する送信手段をさらに備え、
前記管理装置は、
前記送信手段から送信された判断情報を受信する受信手段と、
前記受信手段によって受信された判断情報が示す判断結果を表示手段に表示させる表示制御手段とを備える
ことを特徴とする太陽光発電管理システム。
【請求項１０】
太陽光発電システムと、
前記太陽光発電システムと通信回線を介して接続された管理装置とを備え、
前記太陽光発電システムは、
バイパスダイオードを有し、太陽光を受けて発電する太陽電池ストリングと、
前記太陽電池ストリングに診断電圧を印加することによって、発電時と同じ方向の電流を流す診断用電力供給手段と、
前記太陽電池ストリングに前記診断電圧を印加するか否かを切り替えるスイッチ手段と、
前記太陽電池ストリングに流れる電流を測定する電流測定手段と、
前記診断電圧が印加された場合に前記電流測定手段によって測定される電流の大きさを示す測定情報を送信する送信手段と、
前記太陽電池ストリングの発電による直流電力を交流商用周波数に変換して電力系統に供給する電源コントロールユニットと、
前記太陽電池ストリングと前記電源コントロールユニットとに接続される発電電力供給配線と、
前記発電電力供給配線のうち前記太陽電池ストリングの負極側に接続される負極側配線の途中に設けられ、前記太陽電池ストリング側にカソードが接続される逆流防止ダイオードとを備え、
前記診断用電力供給手段は、前記太陽電池ストリングと前記逆流防止ダイオードとの間の前記負極側配線を介して前記診断電圧を前記太陽電池ストリングに印加し、
前記管理装置は、
前記送信手段から測定情報を受信する受信手段と、
前記受信手段によって受信された各測定情報が示す電流の大きさと予め定められた診断閾値とを比較し、比較結果に基づいて前記各バイパスダイオードに不具合があるか否かを判断する不具合判断手段とを備える
ことを特徴とする太陽光発電管理システム。
【発明の詳細な説明】
【技術分野】
【０００１】
この発明は、太陽光発電システム及び太陽光発電管理システムに関する。
【背景技術】
【０００２】
太陽電池ストリングの一部に陰がかかった場合にその発電量が著しく低下することを抑えるため、太陽電池ストリングには、一般的に陰がかかった太陽電池セルを迂回して電流を流すための経路を形成するバイパスダイオードが設けられる（例えば、特許文献１参照）。太陽電池ストリングから安定的に電力を得るには、バイパスダイオードの不具合を早期に検知することが望ましい。
【先行技術文献】
【特許文献】
【０００３】
【特許文献１】特開２０００−５９９８６号公報
【発明の概要】
【発明が解決しようとする課題】
【０００４】
しかしながら、従来、バイパスダイオードの不具合を検知するには、天候、雲の動き、太陽電池パネルの設置状態等、種々の要素と発電量との相関をとる必要があるので、ある程度の長い期間がかかる。
【０００５】
本発明は、上記実情に鑑みてなされたものであり、太陽電池パネルが備えるバイパスダイオードについて容易に診断することができる太陽光発電システムなどを提供することを目的とする。
【課題を解決するための手段】
【０００６】
本発明に係る太陽光発電システムは、
バイパスダイオードを有し、太陽光を受けて発電する太陽電池ストリングと、
前記太陽電池ストリングに診断電圧を印加することによって、発電時と同じ方向の電流を流す診断用電力供給手段と、
前記太陽電池ストリングに前記診断電圧を印加するか否かを切り替えるスイッチ手段と、
前記太陽電池ストリングに流れる電流を測定する電流測定手段と、
前記診断電圧が印加された場合に前記電流測定手段によって測定される電流の大きさと予め定められた診断閾値とを比較し、比較の結果に基づいて前記バイパスダイオードに不具合があるか否かを判断する不具合判断手段と、
前記太陽電池ストリングの発電による直流電力を交流商用周波数に変換して電力系統に供給する電源コントロールユニットと、
前記太陽電池ストリングと前記電源コントロールユニットとに接続される発電電力供給配線と、
前記発電電力供給配線のうち前記太陽電池ストリングの負極側に接続される負極側配線の途中に設けられ、前記太陽電池ストリング側にカソードが接続される逆流防止ダイオードとを備え、
前記診断用電力供給手段は、前記太陽電池ストリングと前記逆流防止ダイオードとの間の前記負極側配線を介して前記診断電圧を前記太陽電池ストリングに印加することを特徴とする。
【発明の効果】
【０００７】
本発明によれば、太陽電池ストリングに診断電圧を印加した場合に太陽電池ストリングを流れる電流に基づいて、バイパスダイオードに不具合があるか否かを判断する。そのため、天候、雲の動き、太陽電池パネルの設置状態などにかかわらず、バイパスダイオードの不具合を検知することができる。したがって、バイパスダイオードについて容易に診断することが可能になる。
【図面の簡単な説明】
【０００８】
【図１】実施形態１に係る太陽光発電システムの構成を示す図である。
【図２】バイパスダイオードに不具合がない太陽電池ストリングの一部に陰がかかった場合の発電電流の流れを示す図である。
【図３】バイパスダイオードに不具合がない太陽電池ストリングの一部に陰がかかった場合の発電電圧と発電電流との関係を示す図である。
【図４】バイパスダイオードに不具合がある太陽電池ストリングの一部に陰がかかった場合の発電電流の流れを示す図である。
【図５】バイパスダイオードに不具合がある太陽電池ストリングの一部に陰がかかった場合の発電電圧と発電電流との関係を示す図である。
【図６】実施形態１に係る制御部の機能的構成を示す図である。
【図７】実施形態１に係る診断処理の流れを示すフローチャートである。
【図８】バイパスダイオードに不具合がない太陽電池ストリングに診断用電圧を印加した場合の診断電流の流れを示す図である。
【図９】バイパスダイオードに不具合がない太陽電池ストリングに診断用電圧を印加した場合に、診断電流が遮断されることを示す図である。
【図１０】実施形態２に係る制御部の機能的構成を示す図である。
【図１１】実施形態３に係る太陽光発電システムの構成を示す図である。
【図１２】実施形態３に係る制御部の機能的構成を示す図である。
【図１３】太陽光発電管理システムの構成を示す図である。
【図１４】実施形態４に係る制御部の機能的構成を示す図である。
【図１５】実施形態４に係る管理装置の構成を示す図である。
【図１６】実施形態４に係る診断処理の流れを示すフローチャートである。
【図１７】実施形態４に係る管理処理の流れを示すフローチャートである。
【図１８】実施形態５に係る制御部の機能的構成を示す図である。
【図１９】実施形態５に係る管理装置の機能的構成を示す図である。
【図２０】実施形態５に係る診断処理の流れを示すフローチャートである。
【図２１】実施形態５に係る管理処理の流れを示すフローチャートである。
【発明を実施するための形態】
【０００９】
本発明の実施形態について図を参照して説明する。全図を通じて、同一の要素には同一の参照符号を付し、同一の要素に関する重複する説明は省略する。
【００１０】
実施形態１．
本発明の実施形態１に係る太陽光発電システムは、太陽電池パネルが発電した電力を電力系統へ供給する。太陽光発電システム１は、図１に示すように、太陽電池パネル２を備える。太陽電池パネル２は、２つの太陽電池ストリング３ａ，３ｂを備える。
【００１１】
太陽電池ストリング３ａは、図２に示すように、電気的に直列に接続された３つの太陽電池クラスタ４ａ，４ｂ，４ｃを備える。太陽電池クラスタ４ａ，４ｂ，４ｃの各々では、太陽光を受けて発電する太陽電池セル５ａ，５ｂ，５ｃが電気的に直列に接続され、バイパスダイオード６ａ，６ｂ，６ｃが太陽電池セル５ａ，５ｂ，５ｃと電気的に並列に接続される。
【００１２】
太陽電池ストリング３ａの一部に陰がかかると、図２に示すように、陰がかかった太陽電池クラスタ４ｂは、ほとんど発電できないだけでなく、太陽電池ストリング３ａにおいて逆方向のダイオード、すなわち抵抗として機能する。バイパスダイオード６ｂを設けることによって、陰がかかっていない太陽電池クラスタ４ａ，４ｃの発電による電流（発電電流）ＩＧはバイパスダイオード６ｂに流れる。
【００１３】
その結果、太陽電池クラスタ４ｂに陰がかかった太陽電池ストリング３ａの発電による電圧（発電電圧）ＶＧと発電電流ＩＧとの関係は、図３の点線で示すものになる。同図では、比較のため、全体に太陽光が照射している太陽電池ストリング３ａの発電電圧ＶＧと発電電流ＩＧとの関係が、実線で示されている。また、同図のＶＧ１は、全体に太陽光が照射した太陽電池ストリング３ａの開放電圧（電流がゼロである場合の発電電圧ＶＧ）である。
【００１４】
太陽電池クラスタ４ａ，４ｂ，４ｃの各々の発電電圧が（１／３）ＶＧ１であるとすると、太陽電池クラスタ４ｂに陰がかかっている太陽電池ストリング３ａの発電電圧ＶＧは、同図に示すように、ほぼ（２／３）ＶＧ１になる。すなわち、太陽電池クラスタ４ｂに陰がかかっているために低下する太陽電池ストリング３ａの発電電圧ＶＧは、ほぼ１／３ですむことになる。このように、バイパスダイオード６ａ，６ｂ，６ｃを設けることによって、一部に陰がかかった太陽電池ストリング３ａの発電量の著しい低下を抑制することができる。
【００１５】
また、太陽電池セル５ａ，５ｂ，５ｃそのものが劣化した場合や、同一の太陽電池クラスタ４ａ，４ｂ，４ｃ内の太陽電池セル５ａ，５ｂ，５ｃを接続する配線に断線が生じた場合などにおいても、太陽電池ストリング３ａの一部に陰がかかった場合と同様に、バイパスダイオード６ａ，６ｂ，６ｃによって太陽電池ストリング３ａの発電量の著しい低下を抑制することができる。
【００１６】
しかしながら、例えばバイパスダイオード６ｂが断線している場合（図４参照）、発電電流ＩＧは陰がかかった太陽電池セル５ｂを流れることになるため、太陽電池ストリング３ａの発電量は著しく低下する。バイパスダイオード６ｂの不具合が断線に至るまで進行していなくても、バイパスダイオード６ｂに不具合があれば、太陽電池ストリング３ａの発電量は著しく低下する。
【００１７】
これまで説明した太陽電池ストリング３ａの構成は、太陽電池ストリング３ｂについても同様である。以下の説明では、太陽電池ストリング３ａ，３ｂ、太陽電池クラスタ４ａ，４ｂ，４ｃ、太陽電池セル５ａ，５ｂ，５ｃ、バイパスダイオード６ａ，６ｂ，６ｃを特に区別する必要がない場合、それぞれ、「太陽電池ストリング３」、「太陽電池クラスタ４」、「太陽電池セル５」、「バイパスダイオード６」と称する。
【００１８】
太陽光発電システム１は、太陽電池パネル２のバイパスダイオード６について診断するため、図１に示すように、ＰＳＣＵ（電源コントロールユニット）１０と、接続箱１１と、診断用電源１２ａ，１２ｂと、充電部１３と、スイッチ部１４ａ，１４ｂと、電流検出部１５ａ，１５ｂと、表示部１６と、制御部１７とをさらに備える。
【００１９】
ＰＳＣＵ１０は、太陽電池パネル２により発電された直流電力を交流電力に変換し、変換した交流電力を電力系統へ供給する装置であり、ＤＣ／ＡＣ変換装置などから構成される。ＰＳＣＵ１０は、発電電力供給配線１８により太陽電池パネル２に電気的に接続されている。
【００２０】
接続箱１１は、発電電力供給配線１８の途中に設けられ、太陽電池ストリング３の各々が発電した電力を集約してＰＳＣＵ１０へ出力する。
【００２１】
接続箱１１は、２つの開閉器１９ａ，１９ｂを備える。開閉器１９ａ（１９ｂ）は、太陽電池ストリング３ａ（３ｂ）に接続される発電電力供給配線１８であるストリング側配線２０ａ（２０ｂ）と、電気的に集約してＰＳＣＵ１０へ接続される発電電力供給配線１８である変換側配線２１との間に設けられる。開閉器１９ａ（１９ｂ）によって、ストリング側配線２０ａ（２０ｂ）と変換側配線２１との間の電気的な接続状態（接続又は切断）が切り替えられる。
【００２２】
ストリング側配線２０ａ（２０ｂ）は、太陽電池ストリング３ａ（３ｂ）の正極に接続される正極配線２０ａ＿１（２０ｂ＿１）（図１において＋を付した配線）を有し、太陽電池ストリング３ａ（３ｂ）の負極に接続される負極配線２０ａ＿２（２０ｂ＿２）（図１において−を付した配線）を有する。負極配線２０ａ＿２（２０ｂ＿２）には、太陽電池ストリング側にカソードが接続された逆流防止ダイオード２２ａ，２２ｂが設けられる。以下の説明では、逆流防止ダイオード２２ａ，２２ｂを特に区別する必要がない場合、「逆流防止ダイオード２２」と称する。
【００２３】
診断用電力供給手段としての診断用電源１２ａ，１２ｂは、バイパスダイオード６について診断するための電源であり、例えば蓄電池などから構成される。診断用電源１２ａ（１２ｂ）は、診断用印加配線２３ａ（２３ｂ）を介して、太陽電池ストリング３ａ（３ｂ）に電気的に接続している。
【００２４】
診断用電源１２ａ（１２ｂ）の正極は、診断用印加配線２３ａ＿１（２３ｂ＿１）を介して、ストリング側の負極配線２０ａ＿２（２０ｂ＿２）に電気的に接続している。診断用電源１２ａ（１２ｂ）の負極は、診断用印加配線２３ａ＿２（２３ｂ＿２）を介して、ストリング側の正極配線２０ａ＿１（２０ｂ＿１）に電気的に接続している。このように接続された診断用電源１２ａ（１２ｂ）から電力が供給されることによって、診断電圧が印加されて、太陽電池ストリング３ａ（３ｂ）及びストリング側配線２０ａ（２０ｂ）には発電電流ＩＧと同じ方向の電流が流れる。
【００２５】
以下の説明では、診断用電源１２ａ，１２ｂを特に区別する必要がない場合、「診断用電源１２」と称する。また、診断用電源１２ａ（１２ｂ）によって各ストリング側配線２０ａ（２０ｂ）に流れる電流を「診断電流ＩＤ」と称する。
【００２６】
充電部１３は、診断用電源１２を充電するための装置であり、例えば変圧装置などから構成される。充電部１３は、例えば変換側配線２１に電気的に接続されており、太陽電池パネル２が発電した電力を取得して診断用電源１２へ供給する。
【００２７】
スイッチ部１４ａ，１４ｂは、診断用電源１２から太陽電池ストリング３に電力を供給するか否かを切り替えるスイッチであり、例えばリレーなどから構成される。
【００２８】
スイッチ部１４ａ（１４ｂ）は、診断用電源１２ａ（１２ｂ）の正極とストリング側の負極配線２０ａ＿２（２０ｂ＿２）とを接続する診断用印加配線２３ａ＿１（２３ｂ＿１）に設けられる。スイッチ部１４ａ（１４ｂ）の状態（開又は閉）を切り替えることによって、診断用印加配線２３ａ＿１（２３ｂ＿１）が形成する電気回路の接続状態（切断又は通電）が切り替わる。以下の説明では、スイッチ部１４ａ，１４ｂを特に区別する必要がない場合、「スイッチ部１４」と称する。
【００２９】
電流検出部１５ａ，１５ｂは、診断用印加配線２３ａ＿１，２３ｂ＿１の各々における電流を検出し、検出した電流の大きさを表す電流情報を出力する。電流検出部１５ａ，１５ｂは、例えば直流用のカレントトランス、シャント抵抗、ホール素子などから構成される。電流検出部１５ａ（１５ｂ）は、スイッチ部１４ａ（１４ｂ）と同様に、診断用印加配線２３ａ＿１（２３ｂ＿１）に設けられる。
【００３０】
表示部１６は、バイパスダイオード６の診断結果などを表示する。表示部１６は、例えば液晶パネルから構成される。
【００３１】
制御部１７は、バイパスダイオード６について診断するため制御を行う。制御部１７は、１つ又は複数のプロセッサ、ＲＡＭ（Ｒａｎｄｏｍ  Ａｃｃｅｓｓ  Ｍｅｍｏｒｙ）などから構成される。制御部１７は、ＰＳＣＵ１０と、診断用電源１２と、充電部１３と、スイッチ部１４と、電流検出部１５と、表示部１６との間で情報を授受するための通信回線により接続される。この通信回線は、有線無線を問わない。
【００３２】
制御部１７は機能的に、図６に示すように、開始時期検知部３０と、充電制御部３１と、スイッチ制御部３２と、電流情報取得部３３と、不具合判断部３４と、表示制御部３５とを備える。
【００３３】
開始時期検知部３０は、バイパスダイオード６の診断を開始する時期の到来を検知する。開始時期検知部３０は、開始時期の到来を検知するとそのことを示す検知情報を出力する。開始時期検知部３０は、開始時期の到来を検知するために予め定められる開始閾値ＴＨ０を示す情報（開始閾値情報）を保持している。なお、開始閾値情報は、図示しない記憶部に保持されていてもよい。
【００３４】
充電制御部３１は、診断用電源１２の充電状態を検知しつつ、充電部１３を制御する。
【００３５】
スイッチ制御部３２は、スイッチ部１４の状態を制御する。スイッチ制御部３２は、通常、スイッチ部１４を開に設定する。開始時期検知部３０から出力された検知情報を取得してからバイパスダイオード６の診断が終了するまで、スイッチ制御部３２は、各太陽電池ストリング３のバイパスダイオード６を診断できるようにスイッチ部１４の状態を制御する。
【００３６】
電流情報取得部３３は、電流情報を電流検出部１５から取得する。
【００３７】
不具合判断部３４は、電流情報取得部３３によって取得された電流情報に基づいて不具合のあるバイパスダイオード６の有無を太陽電池ストリング３ごとに判断し、判断の結果を示す情報（判断情報）を出力する。
【００３８】
表示制御部３５は、不具合判断部３４による判断の結果を表示部１６に表示させる。
【００３９】
これまで説明した制御部１７の機能は、制御部１７を構成するプロセッサ自体の機能として実現されてもよく、図示しない記憶部に記憶されたソフトウェア・プログラムを実行するプロセッサの機能として実現されてもよく、さらに、それらの組み合わせによって実現されてもよい。
【００４０】
ここから、太陽光発電システム１が実行する診断処理について、図７を参照して説明する。同図に示す診断処理は、例えば太陽光発電システム１が稼働している間、繰り返される。
【００４１】
開始時期検知部３０は、開始時期が到来したか否かを判断する（ステップＳ１０１）。
【００４２】
具体的には、開始時期検知部３０は、各太陽電池ストリング３の発電電圧ＶＧを表す情報（発電電力に関する情報）をＰＳＣＵ１０から取得し、発電電圧ＶＧに基づいて開始時期の到来を検知する。各太陽電池ストリング３の発電電圧ＶＧが予め定められた開始閾値ＴＨ０以下である場合に、開始時期検知部３０は、開始時期が到来したと判断（開始時期の到来を検知）する（ステップＳ１０１；Ｙｅｓ）。少なくとも１つの太陽電池ストリング３の発電電圧ＶＧが開始閾値ＴＨ０を超える場合に、開始時期検知部３０は、開始時期が到来していないと判断する（ステップＳ１０１；Ｎｏ）。
【００４３】
開始閾値ＴＨ０は例えば、各診断用電源１２の電圧ＶＤとバイパスダイオード６の順電圧ＶＦ×各太陽電池ストリング３に含まれるバイパスダイオードの数（本実施形態では、３）との差である。この開始閾値ＴＨ０を採用することによって、各太陽電池ストリング３が備えるすべてのバイパスダイオード６へ診断用電源１２の電圧ＶＤで通電させることができる程度に、発電電圧ＶＧが低下した時を検知することができる。発電電圧ＶＧが低下する場合として、典型的には、夕刻から夜にかけて太陽光が弱くなって、太陽電池ストリング３の発電量が低下するときがある。
【００４４】
開始時期が到来していないと判断された場合（ステップＳ１０１；Ｎｏ）、充電制御部３１は、診断用電源１２の各々から充電量を表す情報（充電量情報）を取得し、取得した充電量情報に基づいて各診断用電源１２が満充電であるか否かを判断する（ステップＳ１０２）。
【００４５】
具体的には、充電量情報によって表される充電量が予め定められた充電閾値ＴＨ１以上である場合に、充電制御部３１は、満充電であると判断する（ステップＳ１０２；Ｙｅｓ）。満充電であると判断された場合（ステップＳ１０２；Ｙｅｓ）、開始時期検知部３０は、開始時期到来判断処理（ステップＳ１０１）を継続する。
【００４６】
充電量情報によって表される充電量が充電閾値ＴＨ１未満である場合に、充電制御部３１は、満充電でないと判断する（ステップＳ１０２；Ｎｏ）。そして、満充電でないと判断した充電制御部３１は、満充電ではない診断用電源１２を充電するように充電部１３を制御する（ステップＳ１０３）。
【００４７】
開始時期が到来したと判断された場合（ステップＳ１０１；Ｙｅｓ）、制御部１７は、各太陽電池ストリング３のバイパスダイオード６について診断する処理（ステップＳ１０５〜Ｓ１１１）を実行する（ループＡ；ステップＳ１０４）。
【００４８】
スイッチ制御部３２は、スイッチ部１４ａを閉に切り替える（ステップＳ１０５）。これによって、診断用印加配線２３ａ＿１によって形成される電気回路は通電状態となり、その結果、診断用電源１２ａによって診断電圧がストリング側の負極配線２０ａ＿２に印加される。
【００４９】
ここで、ストリング側の負極配線２０ａ＿２には、逆流防止ダイオード２２ａが設けられているので、発電電流ＩＧとは逆方向の電流がＰＳＣＵ１０へ流れ込むことはない。発電電流ＩＧと逆方向の電流がＰＳＣＵ１０に流れ込むとＰＳＣＵ１０が故障する可能性があるが、逆流防止ダイオード２２ａによってこのような故障を防ぐことができる。
【００５０】
電流検出部１５ａが、診断用印加配線２３ａ＿１における電流を測定して電流情報を出力する。電流情報取得部３３は、電流検出部１５ａから電流情報を取得する（ステップＳ１０６）。
【００５１】
ここで、太陽電池ストリング３ａが備えるすべてのバイパスダイオード６ａ，６ｂ，６ｃに不具合がない場合、図８に示すように、診断回路に診断電流ＩＤが流れる。この診断回路は、診断用印加配線２３ａと、スイッチ部１４ａと、電流検出部１５ａと、バイパスダイオード６ａ，６ｂ，６ｃとを含んで形成される。
【００５２】
これに対して、太陽電池ストリング３ａが備えるバイパスダイオード６ａ，６ｂ，６ｃのいずれかに不具合がある場合、診断回路に診断電流ＩＤはほとんど流れない。図９には、バイパスダイオード６ｂに不具合があり、そこでは診断電流ＩＤが遮断される例を示す。この場合、診断電流ＩＤは、せいぜい太陽電池セル５ｂを僅かに流れることができる程度である。
【００５３】
不具合判断部３４は、電流情報取得部３３によって取得された電流情報が示す電流の大きさ（電流値）Ｉ１と予め定められた診断閾値ＴＨ２とを比較する（ステップＳ１０７）。
【００５４】
比較した結果、電流値Ｉ１が診断閾値ＴＨ２以下である場合に（ステップＳ１０７；Ｙｅｓ）、不具合判断部３４は、太陽電池ストリング３ａが備えるバイパスダイオード６のいずれかに不具合があると判断する（ステップＳ１０８）。また、比較した結果、電流値Ｉ１が診断閾値ＴＨ２より大きい場合に（ステップＳ１０７；Ｎｏ）、不具合判断部３４は、太陽電池ストリング３ａが備えるバイパスダイオード６のすべてに不具合がないと判断する（ステップＳ１０９）。そして、これらの判断処理（ステップＳ１０８及びＳ１０９）の後、不具合判断部３４は、その判断結果を示す判断情報を出力する。
【００５５】
表示制御部３５は、不具合判断部３４によって出力された判断情報を取得し、判断情報が示す判断結果を表示部１６に表示させる（ステップＳ１１０）。これによって、表示部１６には、太陽電池ストリング３ａが備えるバイパスダイオード６の不具合の有無が判断結果として表示される。
【００５６】
スイッチ制御部３２は、スイッチ部１４ａを開に切り替え（ステップＳ１１１）、太陽電池ストリング３ａについてのループＡ（ステップＳ１０４）を終了させる。
【００５７】
次に、制御部１７は、これまで説明したループＡ（ステップＳ１０４）と同様の処理を太陽電池ストリング３ｂについて実行し、その後、診断処理を終了する。
【００５８】
このように、太陽光発電システム１は、バイパスダイオード６に不具合があるか否かを太陽電池ストリング３ごとに順に診断する。そして、診断結果は表示部１６に表示されるので、ユーザは、各太陽電池ストリング３のバイパスダイオード６に不具合があるか否かを容易に知ることができる。
【００５９】
本実施形態によれば、太陽光発電システム１は、各太陽電池ストリング３の発電電圧ＶＧが開始閾値ＴＨ０以下である場合に、各太陽電池ストリング３に診断用電源１２から電圧を印加する。そして、太陽光発電システム１は、電圧を印加することによって各太陽電池ストリング３を流れる電流の大きさに基づいて各太陽電池ストリング３のバイパスダイオード６について不具合の有無を判断する。したがって、天候、雲の動き、太陽電池パネルの設置環境などにかかわらず、各太陽電池ストリング３が備えるバイパスダイオード６について容易に診断することが可能になる。
【００６０】
そして、このようなバイパスダイオード６の診断を適宜行うことによって、バイパスダイオード６に不具合が生じていた場合にはそれを早期に見つけて措置を講じることができる。そのため、太陽電池パネル２が本来供給することができる電力量を長期にわたって維持することができる太陽光発電システムを実現することが可能になる。
【００６１】
また、逆流防止ダイオード２２を備えるので、上述のように、診断用電源１２ａ，１２ｂによる電流がＰＳＣＵ１０へ逆流することを防止することができる。また、逆流防止ダイオード２２は、本実施形態のように接続箱１１の中に設けることができるので、太陽光発電システム１の構成を複雑にすることなく簡易な構成で、ＰＳＣＵ１０への電流の逆流を防ぐことができる。
【００６２】
さらに、バイパスダイオード６の診断は、発電電圧ＶＧが開始閾値ＴＨ０以下である場合に開始される。開始閾値ＴＨ０を上述のように適切に定めることによって、各太陽電池ストリング３のバイパスダイオード６のすべてへ診断用電源１２が電流を確実に流すことができる。したがって、精度のよい診断が可能になる。
【００６３】
さらに、診断用電源１２は、蓄電池であって、太陽電池パネル２が発電した電力によって充電される。そのため、商用電源など他の電力で充電するよりも、太陽電池パネル２の構成を簡易にすることが可能になる。
【００６４】
以上、本発明に係る実施形態１について説明したが、実施形態１は上述のものに限定されない。
【００６５】
例えば、太陽電池パネル２の構成は、実施形態１で説明したものに限られない。太陽電池パネル２が備える太陽電池ストリング３の数、太陽電池ストリング３が備える太陽電池クラスタ４の数、及び太陽電池クラスタ４を構成する太陽電池セル５の数は、いくつであってもよい。
【００６６】
また例えば、実施形態１では、太陽電池ストリング３に対応して２つの診断用電源１２が備えられることとしたが、診断用電源１２は１つでもよい。また、診断用電源１２は、蓄電池ではなく商用電源などであってもよい。この場合、商用電源から供給される電力を太陽電池ストリング３へ印加できるように変換する装置が、診断用電力供給手段に相当することになる。この装置は、例えばＡＣ／ＤＣ変換装置、変圧装置などである。さらに、充電部１３は、太陽電池パネル以外の電源（例えば、商用電源）から供給される電力を取得して診断用電源１２を充電してもよい。
【００６７】
さらに例えば、電流検出部１５ａ，１５ｂはそれぞれ、診断用印加配線２３ａ＿１，２３ｂ＿１に設けられることとしたが、電流検出部１５ａ，１５ｂが設けられる場所はこれに限られない。電流検出部１５ａ，１５ｂはそれぞれ、診断用電源１２から印加した場合に太陽電池ストリング３ａ，３ｂを流れる診断電流を測定できる場所に設けられればよい。
【００６８】
さらに例えば、制御部１７、スイッチ部１４、電流検出部１５、及び表示部１６が稼働するための電源は典型的には、診断用電源１２であるが、これに限られない。その電源は例えば、商用電源など太陽電池パネル２以外を供給源とする電源であってもよく、また診断用電源１２、商用電源などを組み合わせたものであってもよい。
【００６９】
さらに例えば、逆流防止ダイオード２２ａ，２２ｂを設ける代わりに、開閉器１９ａ，１９ｂを開（切断）にしてもよい。この場合、制御部１７は例えば、開閉器１９ａ，１９ｂの接続状態を切り替える開閉器制御部（図示せず）を備えてもよい。この開閉器制御部は、開始時期の到来が検知された場合に（ステップＳ１０１；Ｙｅｓ）、通電処理（ステップＳ１０５）の前に、開閉器１９ａ（１９ｂ）を開（切断）に切り替えるとよい。さらに、開閉器制御部は、すべての太陽電池ストリング３のバイパスダイオード６について診断が終了した後に、開閉器１９ａ（１９ｂ）を閉（接続）に切り替えるとよい。これによっても、発電電流ＩＧと逆方向の電流がＰＳＣＵ１０に流れ込むことを防止することができる。
【００７０】
さらに例えば、実施形態１では、バイパスダイオード６の診断は、発電電圧ＶＧが開始閾値ＴＨ０以下である場合に開始されることとしたが、開始時期はこれに限られない。例えば、ＰＳＣＵ１０は自身を制御するための電源が必要であるが、ＰＳＣＵ１０には太陽電池パネル２の発電電力で自身を制御するものがある。この場合、ＰＳＣＵ１０は、自身を制御するために十分な電力を太陽電池パネル２が発電できなくなったときに、そのことを示す情報を発電電力に関する情報として出力してもよい。そして、開始時期検知部３０は、その情報を取得した場合に、バイパスダイオード６の診断の開始時期が到来したと判断してもよい。これによっても、太陽電池パネル２の発電電力が低下した時にバイパスダイオード６の診断を開始することができる。したがって、各太陽電池ストリング３のすべてのバイパスダイオード６へ診断用電源１２で電流を流すことが可能になる。
【００７１】
さらに例えば、判断結果を表示部１６に表示させる時期は、判断処理（ステップＳ１０８及びＳ１０９）の直後でなくてもよい。例えば、ユーザの指示に応じて、表示制御部３５は表示部１６に表示結果を表示させてもよい。また例えば、太陽電池パネル２での発電電力が所定以上になった場合、予め定められた時刻が到来した時など予め定められた時期に、表示制御部３５は表示部１６に表示結果を表示させてもよい。これらの場合、太陽光発電システム１が図示しない記憶部をさらに備え、記憶部に判断情報を蓄積し、判断結果を表示すべきときに表示制御部３５が判断情報を記憶部から取得して表示部１６に表示させるとよい。このように、表示時期を適宜設定できるようにすることによって、バイパスダイオード６の診断結果を確実に知ることができる。したがって、不具合を早期に見つけることが可能になる。
【００７２】
実施形態２．
本実施形態に係る太陽光発電システムは、時刻に基づいてバイパスダイオード６の診断開始時期を判断する。本実施形態に係る太陽光発電システムは、実施形態１に係る太陽光発電システム１と概ね同じ構成を備える。本実施形態に係る太陽光発電システムと実施形態１に係る太陽光発電システム１とでは、制御部の詳細が異なる。
【００７３】
本実施形態に係る制御部２１７は機能的に、図１０に示すように、実施形態１に係る制御部１７が備える構成に加えて、計時部２４０を備える。計時部２４０は、現在時刻を計測し、現在時刻を示す情報（現在時刻情報）を出力する。計時部２４０は例えば、配線を介して信号を授受できるように制御部２１７の外部に設けられる計時用チップなどから構成される。
【００７４】
開始時期検知部２３０は、現在時刻情報に基づいて、バイパスダイオード６について診断する処理を開始する時期を検知する。開始時期検知部２３０は、予め定められる診断開始時刻を示す情報（診断開始時刻情報）を保持している。なお、診断開始時刻情報は、図示しない記憶部に保持されていてもよい。
【００７５】
ここで、診断開始時刻には、太陽光がない夜間にすべてのバイパスダイオード６の診断を完了させることができる時刻が設定されるとよい。具体的な時刻は、太陽電池パネル２が備える太陽電池ストリング３の数、太陽電池パネル２が設置される地域などによって異なるが、例えば２０時から２４時、０時から３時の間の時刻が設定されるとよい。
【００７６】
このような本実施形態に係る太陽光発電システムが実行する診断処理の流れは、概ね実施形態１に係る診断処理（図７参照）と同様である。本実施形態に係る診断処理と実施形態１に係る診断処理とでは、開始時期判断処理（ステップＳ１０１）の詳細が異なる。
【００７７】
開始時期検知部２３０は、現在時刻情報を計時部２４０から取得し、診断開始時刻情報を参照する。そして、開始時期検知部２３０は、現在時刻情報が示す現在時刻と診断開始時刻情報が示す診断開始時刻とを比較する。
【００７８】
比較の結果、現在時刻が診断開始時刻を経過した場合に、開始時期検知部２３０は、開始時期が到来したと判断（開始時期を検知）する（ステップＳ１０１；Ｙｅｓ）。また、現在時刻が診断開始時刻を経過していない場合に、開始時期検知部２３０は、開始時期が到来していないと判断する（ステップＳ１０１；Ｎｏ）。
【００７９】
本実施形態によっても、診断用電源１２が各太陽電池ストリング３のバイパスダイオード６のすべてへ電流を流すことができる時期にバイパスダイオード６の診断を開始することができる。
【００８０】
実施形態３．
本実施形態に係る太陽光発電システムは、日射量に基づいてバイパスダイオード６の診断開始時期を判断する。本実施形態に係る太陽光発電システム３０１は、図１１に示すように、実施形態１に係る太陽光発電システム１が備える構成に加えて、日射量計（日射計測手段）３４１を備える。
【００８１】
日射量計３４１は、日射量を計測し、計測した日射量を示す情報（日射情報）を出力する。日射量計３４１は例えば、フォトダイオード、フォトトランジスタ、日射センサなどから構成される。
【００８２】
本実施形態に係る制御部３１７は機能的に、図１２に示すように、実施形態１に係る制御部１７が備える開始時期検知部３０に代えて、開始時期検知部３３０を備える。
【００８３】
開始時期検知部３３０は、日射量計３４１から日射情報を取得し、取得した日射量情報に基づいて各太陽電池ストリング３のバイパスダイオード６について診断する処理を開始する時期を検知する。開始時期検知部３３０は、予め定められた日射量を表す開始閾値ＴＨ３を示す開始閾値情報を保持している。
【００８４】
ここで、開始閾値ＴＨ３には例えば、各太陽電池ストリング３に含まれるバイパスダイオード６のすべてへ診断用電源１２の電圧ＶＤで通電させることができる程度の発電電圧ＶＧとなる日射量が設定されるとよい。
【００８５】
このような本実施形態に係る太陽光発電システムが実行する診断処理の流れは、概ね実施形態１に係る診断処理（図７参照）と同様である。本実施形態に係る診断処理と実施形態１に係る診断処理とでは、開始時期判断処理（ステップＳ１０１）の詳細が異なる。
【００８６】
開始時期検知部３３０は、日射量情報を日射量計３４１から取得し、開始閾値情報を参照する。そして、開始時期検知部３３０は、日射量情報が示す日射量と開始閾値情報が示す開始閾値ＴＨ３とを比較する。
【００８７】
比較の結果、日射量が開始閾値ＴＨ３以下となった場合に、開始時期検知部３３０は、開始時期が到来したと判断（開始時期を検知）する（ステップＳ１０１；Ｙｅｓ）。また、日射量が開始閾値ＴＨ３を越える場合に、開始時期検知部３３０は、開始時期が到来していないと判断する（ステップＳ１０１；Ｎｏ）。
【００８８】
なお、日射量計３４１は、日射量が所定量以上であるか否かを計測し、その計測結果を示す情報を日射情報として出力してもよい。この場合、開始時期検知部３３０は、日射情報を参照し、その内容に従って開始時期が到来したか否かを判断するとよい。
【００８９】
本実施形態によっても、本実施形態によっても、診断用電源１２が各太陽電池ストリング３のバイパスダイオード６のすべてへ電流を流すことができる時期にバイパスダイオード６の診断を開始することができる。
【００９０】
実施形態４．
本実施形態に係る太陽光発電管理システム４５１は、図１２に示すように、複数の太陽光発電システム４０１と、管理装置４５２とを備える。各太陽光発電システム４０１と管理装置４５２とは、有線又は無線のＬＡＮ、ＷＡＮ、公衆通信回線などを含む通信回線４５３を介して接続されている。太陽光発電システム４０１は、実施形態１に係る太陽光発電システム１と同様に、バイパスダイオード６について診断することができる。管理装置４５２は、各太陽光発電システム４０１を維持管理するための装置であり、例えば遠隔地にある監視センタなどに設置される。
【００９１】
太陽光発電システム４０１は、実施形態１に係る太陽光発電システム１と概ね同じ構成を備えており、表示部１６を備えない。また、太陽光発電システム４０１が備える制御部４１７の詳細な構成が、実施形態１に係る制御部１７と異なる。
【００９２】
本実施形態に係る制御部４１７は機能的に、図１４に示すように、実施形態１に係る制御部１７が備える構成（図６参照）に加えて、通信部４６１を備える。通信部４６１は、管理装置４５２との間で通信を確立して情報を送受信する通信インタフェースである。また、制御部４１７は、実施形態１に係る制御部１７とは異なり、表示制御部３５を備えない。
【００９３】
管理装置４５２は、各太陽光発電システム４０１の診断結果に基づく管理を可能にするため、図１５に示すように、通信部４６２と、表示部４６３と、表示制御部４６４と、記憶部４６５とを備える。
【００９４】
通信部４６２は、各太陽光発電システム４０１との間で通信を確立して情報を送受信する通信インタフェースである。表示部４６３は、各太陽光発電システム４０１の診断結果などを表示する液晶パネルなどである。表示制御部４６４は、例えばユーザから指示を受けた場合に、記憶部４６５から判断情報を取得し、取得した判断情報に含まれる判断結果を表示部４６３に表示させるプロセッサなどから構成される。
【００９５】
記憶部４６５は、判断情報を記憶するフラッシュメモリ、ＨＤＤ（Ｈａｒｄ  Ｄｉｓｃ  Ｄｒｉｖｅ）、それらを制御するプロセッサなどから構成される。
【００９６】
本実施形態に係る太陽光発電管理システム４５１が実行する診断処理は、図１６に示すように、表示処理（ステップＳ１１０）が実行されず、ループＡ（ステップＳ１０４）の後に送信処理（ステップＳ４１２）が実行されることを除いて、実施形態１に係る診断処理（図７参照）と同じである。
【００９７】
太陽光発電システム４０１の通信部４６１は、判断処理（ステップＳ１０８及びＳ１０９）における判断結果を示す判断情報を不具合判断部３４から取得し、その判断情報を管理装置４５２へ送信する（ステップＳ４１２）。
【００９８】
図１７は、管理装置４５２が実行する管理処理の流れを示すフローチャートである。管理装置４５２は、例えば稼動している間、管理処理を繰り返す。
【００９９】
管理装置４５２の通信部４６２は、太陽光発電システム４０１から判断情報を受信した場合（ステップＳ４２１；Ｙｅｓ）、取得した判断情報を記憶部４６５へ出力する。判断情報を取得した記憶部４６５は、それを記憶する（ステップＳ４２２）。これによって、各太陽光発電システム４０１の判断情報が記憶部４６５に蓄積される。蓄積された判断情報に基づいて、各太陽光発電システム４０１の維持管理に関するユーザへの定期的な報告などに利用することができる。
【０１００】
管理装置４５２の通信部４６２が太陽光発電システム４０１から判断情報を受信しない場合（ステップＳ４２１；Ｎｏ）又は記憶処理（ステップＳ４２２）の後に、表示制御部４６４は、ユーザから表示指示情報を受け付けたか否かを判断する（ステップＳ４２３）。表示指示情報は例えば、ユーザの指示に係る判断結果を表示部４６３に表示させることを示す情報であって、図示しない入力部をユーザが操作することによって、表示制御部４６４に取得される。
【０１０１】
表示指示情報を受け付けたと判断した場合（ステップＳ４２３；Ｙｅｓ）、表示制御部４６４は、表示指示情報に係る判断結果を表示部４６３に表示させる（ステップＳ４２４）。表示指示情報を受け付けていないと判断した場合（ステップＳ４２３；Ｎｏ）又は表示処理（ステップＳ４２４）の後に、通信部４６２は、受信判断処理（ステップＳ４２１）を実行する。
【０１０２】
本実施形態によれば、各太陽光発電システム４０１での判断結果が管理装置４５２に表示される。そのため、管理者は、各太陽光発電システム４０１の判断結果に基づいて、遠隔地から複数の太陽光発電システム４０１を管理することができる。バイパスダイオード６に不具合があることが表示された場合には、管理者は、修理などの措置を早急に講じることができる。したがって、長期にわたり安定的な発電電力を維持可能な太陽光発電システムを実現するための管理が可能になる。
【０１０３】
以上、本発明の実施形態４について説明したが、実施形態４は上述のものに限定されない。
【０１０４】
例えば、開始時期検知部３０は、管理装置４５２から送信される開始指示情報に基づいて開始時期を検知してもよい。開始指示情報は、バイパスダイオード６の診断を開始する指示を示す情報である。この場合、管理装置４５２が、各太陽光発電システム４０１の診断開始時期を予め定めた開始時期情報を記憶しておき、開始時期情報に含まれる診断開始時期が到来すると、管理装置４５２が、該当する太陽光発電システム４０１へ開始指示情報を送信するとよい。
【０１０５】
これによって、管理装置４５２において開始時期を管理することができる。そのため、管理者は、例えば太陽光発電システム４０１ごとに適した開始時期を容易に設定することができる。これによって、バイパスダイオード６について診断の精度をより向上させることが可能になる。
【０１０６】
実施形態５．
本実施形態では、実施形態４と同様に、複数の太陽光発電システムと管理装置とを備える太陽光発電管理システムについて説明する。本実施形態に係る太陽光発電管理システムでは、管理装置が、太陽光発電システムから受信する情報に基づいて、太陽光発電システムが備えるバイパスダイオードについて診断する。
【０１０７】
本実施形態に係る太陽光発電システムの構成は、制御部の詳細を除いて、実施形態４に係る太陽光発電システム４０１の構成と概ね同じである。本実施形態に係る太陽光発電システムの制御部４１７は、図１８に示すように、不具合判断部３４を備えないことを除いて、実施形態４に係る制御部４１７（図１４参照）と同じ構成を備える。
【０１０８】
管理装置５５２は、図１９に示すように、各太陽光発電システムの診断結果に基づく管理を可能にするため、実施形態４に係る管理装置４５２が備える構成（図１５参照）に加えて、不具合判断部５３４を備える。また、管理装置５５２は、実施形態４に係る記憶部４６５に代えて、記憶部５６５を備える。
【０１０９】
不具合判断部５３４は、太陽光発電システムから受信した電流情報に基づいて、不具合のあるバイパスダイオード６が含まれているか否かを太陽電池ストリング３ごとに判断し、判断情報を出力する。記憶部５６５は、不具合判断部５３４から判断情報を取得して記憶する。
【０１１０】
ここから、本実施形態に係る太陽光発電管理システムが実行する診断処理について、図を参照して説明する。
【０１１１】
図２０は、本実施形態に係る太陽光発電システムが実行する診断処理の流れを示すフローチャートである。同図に示すように、本実施形態に係る診断処理は、比較処理（ステップＳ１０７）及び判断処理（ステップＳ１０８及びＳ１０９）を含まず、送信処理（ステップＳ４１２）に代えて送信処理（ステップＳ５１２）を含むことを除いて、実施形態４に係る診断処理（図１６参照）と同じである。
【０１１２】
送信処理（ステップＳ５１２）では、太陽光発電システムの通信部４６１は、各太陽電池ストリング３に対応する電流情報を管理装置５５２へ通信回線を介して送信する。ここで送信される電流情報は、電流情報取得部３３によって取得されたものであって、ループＡ（ステップＳ１０４）の間、電流情報取得部３３が保持しておくとよい。なお、太陽光発電システムが図示しない記憶部を備え、電流情報は、その記憶部に記憶されてもよい。
【０１１３】
このような診断処理が各太陽光発電管理システムによって実行されることによって、各太陽光発電管理システムが備えるバイパスダイオード６を診断するために必要な電流情報が、随時、管理装置５５２へ送信される。
【０１１４】
図２１は、本実施形態に係る管理装置５５２が実行する管理処理の流れを示すフローチャートである。管理装置５５２は、例えば稼動している間、管理処理を繰り返す。
【０１１５】
管理装置５５２の通信部４６２が太陽光発電管理システムから送信された電流情報を受信した場合（ステップＳ５２１；Ｙｅｓ）、管理装置５５２はループＢ（ステップＳ５２２）を実行する。
【０１１６】
ループＢ（ステップＳ５２２）では、電流情報の送信元である太陽光発電管理システムが備える各太陽電池ストリング３について、上述の比較処理（ステップＳ１０７）及び判断処理（ステップＳ１０８及びＳ１０９）が実行され、続けて、記憶処理（ステップＳ５２３）が実行される。
【０１１７】
記憶処理（ステップＳ５２３）では、記憶部５６５は、不具合判断部５３４が判断処理（ステップＳ１０８及びＳ１０９）を実行することによって生成される判断情報を取得して記憶する。
【０１１８】
通信部４６２が太陽光発電管理システムから送信された電流情報を受信しない場合（ステップＳ５２１；Ｎｏ）又はループＢ（ステップＳ５２２）の後に、上述の表示指示判断処理（ステップＳ４２３）及び表示処理（ステップＳ４２４）を実行する。
【０１１９】
本実施形態によれば、実施形態４と同様に、管理者は、各太陽光発電システムの判断結果に基づいて、遠隔地から複数の太陽光発電システムを管理することができる。そして、長期にわたり安定的な発電電力を維持可能な太陽光発電システムを実現するための管理が可能になる。
【０１２０】
また、本実施形態によれば、管理装置５５２が、比較処理（ステップＳ１０７）及び判断処理（ステップＳ１０８及びＳ１０９）を実行するので、各太陽光発電システムにおける処理を軽減することができる。
【０１２１】
さらに、管理装置５５２にて診断閾値ＴＨ２を設定することができるので、管理者は、各太陽光発電システムごとに適した診断閾値ＴＨ２に容易に変更して設定することができる。これによって、バイパスダイオード６について診断の精度をより向上させることが可能になる。
【０１２２】
以上、本発明の実施形態について、その変形例も含めて説明したが、本発明は、実施形態及びその変形例に限定されるものではなく、例えば各実施形態及び各変形例を適宜組み合わせた態様、またそれらと均等な技術的範囲をも含む。
【符号の説明】
【０１２３】
１，３０１，４０１  太陽光発電システム
２  太陽電池パネル
３ａ，３ｂ  太陽電池ストリング
４ａ，４ｂ，４ｃ  太陽電池クラスタ
５ａ，５ｂ，５ｃ  太陽電池セル
６ａ，６ｂ，６ｃ  バイパスダイオード
１０  ＰＳＣＵ
１１  接続箱
１２ａ，１２ｂ  診断用電源
１３  充電部
１４ａ，１４ｂ  スイッチ部
１５ａ，１５ｂ  電流検出部
１６，４６３  表示部
１７，２１７，３１７，４１７，５１７  制御部
１８  発電電力供給配線
１９ａ，１９ｂ  開閉器
２０ａ，２０ｂ  ストリング側配線
２１  変換側配線
２２ａ，２２ｂ  逆流防止ダイオード
２３ａ，２３ｂ  診断用印加配線
３０，２３０，３３０  開始時期検知部
３１  充電制御部
３２  スイッチ制御部
３３  電流情報取得部
３４，５３４  不具合判断部
３５，４６４  表示制御部
２４０  計時部
３４１  日射量計
４５１  太陽光発電管理システム
４５２，５５２  管理装置
４５３  通信回線
４６１，４６２  通信部
４６５，５６５  記憶部
【図１】
0005465221.tif 000002
【図２】
0005465221.tif 000003
【図３】
0005465221.tif 000004
【図４】
0005465221.tif 000005
【図５】
0005465221.tif 000006
【図６】
0005465221.tif 000007
【図７】
0005465221.tif 000008
【図８】
0005465221.tif 000009
【図９】
0005465221.tif 000010
【図１０】
0005465221.tif 000011
【図１１】
0005465221.tif 000012
【図１２】
0005465221.tif 000013
【図１３】
0005465221.tif 000014
【図１４】
0005465221.tif 000015
【図１５】
0005465221.tif 000016
【図１６】
0005465221.tif 000017
【図１７】
0005465221.tif 000018
【図１８】
0005465221.tif 000019
【図１９】
0005465221.tif 000020
【図２０】
0005465221.tif 000021
【図２１】
0005465221.tif 000022